(57)【要約】【課題】作業時間を短縮して床材の張り替え作業を簡単に行うことのできる排水トラップを提供する。【解決手段】排水管Ｐと接続されて床板Ｆの取付穴Ｆａ周縁に固定された固定用筒体２と、固定用筒体２に支持されて封水を確保可能なトラップ本体４と、固定用筒体２に支持されて設備機器の排水ホースと接続可能なエルボ部材５と、エルボ部材５に装着されるとともに、固定用筒体２にねじ結合されてエルボ部材５を固定用筒体２との間で挟み込むロック部材６とから構成される。そして、固定用筒体２が、筒状部材２１および該筒状部材２１に着脱自在に連結されたフランジ部材２２からなり、筒状部材２１に接着剤を介して排水管Ｐが接着される一方、筒状部材２１に連結されたフランジ部材２２が床板Ｆに固定される。【選択図】図１
2008261183.tif 000002
【特許請求の範囲】
【請求項１】
設備機器の排水を床板の取付穴に立ち上げられた排水管に導いて排出する排水トラップであって、排水管と接続されて床板の取付穴周縁に固定された固定用筒体と、固定用筒体に支持されて封水を確保可能なトラップ本体と、固定用筒体に支持されて設備機器の排水ホースと接続可能なエルボ部材と、エルボ部材に装着されるとともに、固定用筒体にねじ結合されてエルボ部材を固定用筒体との間で挟み込むロック部材とから構成され、前記固定用筒体が、筒状部材および該筒状部材に着脱自在に連結されたフランジ部材からなり、筒状部材に接着剤を介して排水管が接着される一方、筒状部材に連結されたフランジ部材が床板に固定されることを特徴とする排水トラップ。
【請求項２】
前記筒状部材が、無色透明または有色透明あるいは半透明の樹脂から形成され、筒状部材の外周面に排水管の内周面が接着されることを特徴とする請求項１記載の排水トラップ。
【請求項３】
前記固定用筒体に、化粧カバーが着脱自在に装着されることを特徴とする請求項１または２記載の排水トラップ。
【発明の詳細な説明】
【技術分野】
【０００１】
この発明は、設備機器の排水ホースと排水管との間に配設されて設備機器の排水を排水管に排出する排水トラップに関するものである。
【背景技術】
【０００２】
一般に、排水トラップは、洗濯機などの設備機器からの排水を床下に敷設された排水管に排出するために採用され、設備機器の排水ホースと接続可能なエルボ部材、エルボ部材および排水管にわたって接続可能な固定用筒体、固定用筒体に配置されて封水するトラップ本体を有し、排水管と接続されて床板に取り付けられている。そして、エルボ部材と設備機器の排水ホースとを接続することにより、設備機器からの排水をトラップ本体に導いて、臭気の逆流を防止しつつ排水管に排出するものである（例えば、特許文献１参照）。
【特許文献１】特開２００７−２３６８８号公報
【発明の開示】
【発明が解決しようとする課題】
【０００３】
ところで、前述した排水トラップにおいては、排水管の先端を接着した固定用筒体が床板に固定されていることから、床板に敷設されたクッションフロアなどの床材を張り替える場合、床板から突出する固定用筒体が邪魔になって床材の張り替えができないものとなる。このため、排水管を固定用筒体との接着部よりも下方で切断し、床板からの突出部分を除去した後、床材を張り替え、次いで、固定用筒体との接着部を切断することで短くなった排水管にソケットを介して一定長さの延長排水管を接続し、延長排水管を新たな固定用筒体に接着するという作業が必要になる。この結果、床材の張り替えに際して、煩雑な作業と多くの作業時間が必要になるという問題があった。
【０００４】
本発明は、このような問題点に鑑みてなされたもので、作業時間を短縮して床材の張り替え作業を簡単に行うことのできる排水トラップを提供するものである。
【課題を解決するための手段】
【０００５】
本発明は、設備機器の排水を床板の取付穴に立ち上げられた排水管に導いて排出する排水トラップであって、排水管と接続されて床板の取付穴周縁に固定された固定用筒体と、固定用筒体に支持されて封水を確保可能なトラップ本体と、固定用筒体に支持されて設備機器の排水ホースと接続可能なエルボ部材と、エルボ部材に装着されるとともに、固定用筒体にねじ結合されてエルボ部材を固定用筒体との間で挟み込むロック部材とから構成され、前記固定用筒体が、筒状部材および該筒状部材に着脱自在に連結されたフランジ部材からなり、筒状部材に接着剤を介して排水管が接着される一方、筒状部材に連結されたフランジ部材が床板に固定されることを特徴とするものである。
【０００６】
本発明によれば、床板の取付穴に立ち上げられた排水管を接着剤を介して固定用筒体の筒状部材に接着した後、筒状部材に連結されたフランジ部材を床板にビスなどを利用して固定する。次いで、トラップ本体を固定用筒体に支持するとともに、ロック部材を装着したエルボ部材を固定用筒体に載置した後、ロック部材を固定用筒体にねじ込み、エルボ部材を固定用筒体との間で挟み込んで取り付ける。次いで、エルボ部材に設備機器の排水ホースを接続することにより、設備機器からの排水を排水ホース、エルボ部材およびトラップ本体を経て排水管に排出することができる。この際、トラップ本体に封水が確保され、臭気の逆流が防止される。
【０００７】
一方、床材の張り替えに際しては、ロック部材を緩めて固定用筒体からロック部材およびエルボ部材を離脱させるとともに、トラップ本体を抜き出した後、ビスなどを緩めて床板に対する固定用筒体の固定を解除する。次いで、固定用筒体の筒状部材に対するフランジ部材の連結を解除し、フランジ部材を離脱させる。これにより、床板の取付穴の周縁に固定用筒体の筒状部材が支持されることから、固定用筒体の筒状部材を挿通可能な最小限の穴を形成して床材の張り替えを行えばよい。床材の張り替え作業が終了すれば、筒状部材にフランジ部材を連結した後、フランジ部材を床板にビスなどを利用して固定する。これにより、フランジ部材が床材に形成された穴の周縁を覆うため、床材の穴が露出することがなく、見栄えの低下を招くことがない。次いで、トラップ本体を固定用筒体に支持するとともに、ロック部材を装着したエルボ部材を固定用筒体に載置した後、エルボ部材に装着されたロック部材を固定用筒体にねじ込み、エルボ部材を固定用筒体との間で挟み込んで取り付けた後、エルボ部材に設備機器の排水ホースを接続すればよい。
【０００８】
この結果、排水トラップを床上からの作業によって簡単に排水管と接続して取り付けることができる。また、床材の張り替えに際しても、固定用筒体に接着された排水管を切断したり、短くなった排水管を延長する作業が不要になるとともに、新たな固定用筒体を用いる必要もなく、作業時間を大幅に短縮して床材の張り替え作業を簡単に行うことができる。
【０００９】
本発明において、前記筒状部材が、無色透明または有色透明あるいは半透明の樹脂から形成され、筒状部材の外周面に排水管の内周面が接着されることが好ましい。
【００１０】
これにより、施工確認に際して、ロック部材を緩めて固定用筒体からロック部材およびエルボ部材を離脱させた後、トラップ本体を抜き出せば、固定用筒体の筒状部材と排水管との接続情況を床上から目視観察することが可能となる。すなわち、透明または半透明な筒状部材の内方側から、その外周面と排水管の内周面との接着剤による接着情況や接着剤の有無を把握することができる。この結果、排水管との接続情況を床下空間に入り込むことなく床上から目視観察することができ、施工確認を容易に行うことができる。
【００１１】
本発明において、前記固定用筒体に、化粧カバーが着脱自在に装着されると、床板の固定された固定用筒体の外面を化粧カバーで覆って化粧することができる。
【発明の効果】
【００１２】
本発明によれば、作業時間を短縮して床材の張り替え作業を簡単に行うことができる。
【発明を実施するための最良の形態】
【００１３】
以下、本発明の実施の形態を図面に基づいて説明する。
【００１４】
図１および図２には、本発明の排水トラップ１の一実施形態が示されている。
【００１５】
この排水トラップ１は、排水管Ｐと接続されるとともに、床板Ｆに形成された取付穴Ｆａの周縁に固定される固定用筒体２と、固定用筒体２に装着された化粧カバー３と、固定用筒体２に支持されたトラップ本体４と、トラップ本体４に嵌挿されて固定用筒体２に支持されたエルボ部材５と、エルボ部材５に装着されて固定用筒体２とねじ結合されたロック部材６と、から構成されている。
【００１６】
固定用筒体２は、筒状部材２１および筒状部材２１に対して着脱自在に連結されたフランジ部材２２から構成され、筒状部材２１は、無色透明な樹脂、例えば、ＡＢＳ樹脂によって形成され、フランジ部材２２は、有色不透明な樹脂、例えば、ＡＢＳ樹脂によって形成されている。これにより、固定用筒体２全体を無色透明に形成することによる強度低下を抑えることができる。
【００１７】
固定用筒体２の筒状部材２１は、下筒部２３と、下筒部２３の上端からフランジ状に外方に延びる接続部２４と、下筒部２３の下端からフランジ状に内方に延びる支持部２５（図１参照）と、接続部２４の上面から立設され、下筒部２３よりも大径の上筒部２６と、からなり、下筒部２３の外径は、排水管Ｐの内径に対応して設定され、接続部２４の外径は、床板Ｆに形成される取付穴Ｆａの径よりも若干大きく設定されている。そして、筒状部材２１を構成する接続部２４の外周面には、雄ねじ２４ｍが形成されており、フランジ部材２２の雌ねじ２２ｆとねじ結合することができる他、接続部２４の、上筒部２６よりも内方の上面には、エルボ部材５の突出部５１を載置することができる。また、支持部２５には、トラップ本体４の周縁段差部４１１を支持することができる。さらに、筒状部材２１の上筒部２６の内周面には雌ねじ２６ｆが形成されており、ロック部材６の雄ねじ６ｍとねじ結合することができる。
【００１８】
固定用筒体２のフランジ部材２２は、筒状部材２１の接続部２４と同一厚みのリング板状に形成され、筒状部材２１の接続部２４の外周面に形成された雄ねじ２４ｍに対応する雌ねじ２２ｆが内周面に形成されており、接続部２４の外周面にねじ結合されて接続部２４に連続するフランジを形成するように設定されている。そして、フランジ部材２２には、周方向に設定間隔をおいて複数個のビス穴２２ａが形成されており、ビス穴２２ａを通してビスＳを床板Ｆにねじ込むことによって床板Ｆに固定することができる。
【００１９】
化粧カバー３は、固定用筒体２に装着可能であって、固定用筒体２に装着することにより、筒状部材２１の上筒部２６の外周面および接続部２４とともに、接続部２４にねじ接続されたフランジ部材２２の上面を覆って、固定用筒体２およびビスＳを目隠しして外観を化粧することができる。
【００２０】
トラップ本体４は、固定用筒体２における筒状部材２１の下筒部２３の内周面に嵌合可能な外径のわん体４１と、わん体４１の内部に配設された傾斜部４２１および垂直部４２２からなる仕切り壁４２と、から形成されている。そして、仕切り壁４２の垂直部４２２によってわん体４１の内部が横断面半円状に二分割される一方、仕切り壁４２の垂直部４２２の下端縁とわん体４１の底面との間には、流通路４ａが形成されている。また、仕切り壁４２の傾斜部４２１の裏面側において、わん体４１の上部には、略半周にわたる流出口４ｂが形成されている。このため、後述するように、設備機器からの排水は、仕切り壁４２の傾斜部４２１に沿ってわん体４１の横断面半円状の一方の空間に流れるとともに、流通路４ａを経てわん体４１の横断面半円状の他方の空間に達し、流出口４ｂから溢水する。この際、トラップ本体４のわん体４１の内部において、その底面から流出口４ｂに達する高さの封水を確保することができる。
【００２１】
なお、トラップ本体４のわん体４１の上部外周面には、固定用筒体２における筒状部材２１の下筒部２３の内径に対応する外径の周縁段差部４１１が突出して形成されており、前述した固定用筒体２における筒状部材２２の支持部２５に支持することができる。
【００２２】
エルボ部材５は、ゴムなどから形成されたエルボ状の管状体であって、その一端部に排水ホース（図示せず）が接続可能であり、その他端部に、前述したトラップ本体４におけるわん体４１の周縁段差部４１１の内周面に嵌合可能な外周面が形成されるとともに、固定用筒体２における筒状部材２１の接続部２４の内周側上面に支持可能な突出部５１が形成されている。
【００２３】
ロック部材６は、前述した固定用筒体２における筒状部材２１の上筒部２６の雌ねじ２６ｆに螺合可能な雄ねじ６ｍを有し、エルボ部材５にその他端部側から装着されるようになっている。
【００２４】
次に、このように構成された排水トラップ１の施工手順について説明する。
【００２５】
なお、固定用筒体２は、筒状部材２１にフランジ部材２２がねじ結合されて予め一体に連結されている。
【００２６】
まず、設備機器の設置位置に合わせて、排水管Ｐの外径よりも大径であって、固定用筒体２における筒状部材２１の接続部２４の外径よりも若干小径の取付穴Ｆａを床板Ｆに形成する。そして、床下に敷設された排水管Ｐの一端部を床板Ｆの取付穴Ｆａに臨むように立ち上げる。次いで、排水管Ｐの上端部内周面に接着剤を塗布するとともに、固定用筒体２における筒状部材２１の下筒部２３の外周面に接着剤を塗布し、排水管Ｐの一端部を接続部２４に当接するまで嵌挿し、両者を接着する。固定用筒体２の筒状部材２１と排水管Ｐとの接着が終了すれば、固定用筒体２を床板Ｆに載置し、フランジ部材２２のビス穴２２ａを通してビスＳをねじ込み、床板Ｆに固定する。固定用筒体２が固定されたならば、化粧カバー３を固定用筒体２に装着し、上筒部２６の外周面およびフランジ部材２２の外面を覆って化粧する。
【００２７】
次いで、トラップ本体４を固定用筒体２に嵌挿しつつ排水管Ｐの内部に挿入し、その周縁段差部４１１を固定用筒体２における筒状部材２１の支持部２５に支持する。さらに、固定用筒体２を通して、ロック部材６を装着したエルボ部材５の他端部をトラップ本体４におけるわん体４１の周縁段差部４１１の内周面に嵌挿させるとともに、その突出部５１を固定用筒体２における筒状部材２１の接続部２４の内周側上面に支持する。この後、ロック部材６を固定用筒体２における筒状部材２１の上筒部２６にねじ込めば、エルボ部材５を固定用筒体２との間で挟み込み、水密性を確保しつつ離脱しないように固定することができる。
【００２８】
このようにして、排水トラップ１を床板Ｆに取り付けたならば、図示しない設備機器の排水ホースをエルボ部材５の一端部に挿入し、固定バンドＫ（図１参照）を介して締結すればよい。これにより、設備機器の排水は、排水ホースを通してエルボ部材５からトラップ本体４に導かれる。そして、トラップ本体４に導かれた排水は、仕切り壁４２の傾斜部４２１に沿ってわん体４１の横断面半円状の一方の空間に流れるとともに、流通路４ａを経てわん体４１の横断面半円状の他方の空間に達し、流出口４ｂから溢水し、排水管Ｐへと流出する。この際、トラップ本体４のわん体４１の内部において、その底面から流出口４ｂに達する高さの封水を確保することができ、排水管Ｐを上昇する臭気を水封することができる。
【００２９】
ところで、排水トラップ１を取り付けた後の施工確認に際しては、ロック部材６を緩めてエルボ部材５およびロック部材６を固定用筒体２から離脱させた後、トラップ本体４を引き上げて取り出し、さらに、化粧カバー３を離脱させ、床板Ｆ上に排水管Ｐが接続された固定用筒体２を露出させることによって行なう。ここで、固定用筒体２の筒状部材２１は、無色透明であることから、床板Ｆの上方から固定用筒体２の透明な下筒部２３を通して排水管Ｐの内周面を目視観察することができる。すなわち、固定用筒体２における筒状部材２１の下筒部２３の外周面と排水管Ｐの内周面との接続情況、具体的には、接着剤の有無および接着剤の塗布状態を床板Ｆの上方から把握することができる。
【００３０】
したがって、固定用筒体２における筒状部材２１の下筒部２３と排水管Ｐとが嵌合されているのみの場合は、前述したように、固定用筒体２の下筒部２３の外周面および排水管Ｐの内周面にそれぞれ接着剤を塗布し、両者を接着することができる。これにより、固定用筒体２の下筒部２３および排水管Ｐの接続不良による漏水を確実に防止することができる。
【００３１】
また、排水トラップ１の取付作業は、床上において行なうことができ、床下空間に入り込むための点検口を設ける必要もない他、点検口を通して狭小な床下空間に入り込む必要もなく、容易に取付作業を行なうことができ、施工確認に際して床下空間に入り込む必要がないことと合わせて、全体の作業を短時間に行なうことができる。
【００３２】
ところで、このような排水トラップ１を取り付けた後、リフォームなどによってクッションフロアなどの床材を張り替える必要が生じた場合は、前述したように、ロック部材６を緩めてエルボ部材５およびロック部材６を固定用筒体２から離脱させた後、トラップ本体４を引き上げて取り出し、さらに、化粧カバー３を離脱させ、床板Ｆ上に排水管Ｐが接続された固定用筒体２を露出させる。次いで、ビスＳを緩めて床板Ｆに対する固定用筒体２の固定を解除した後、筒状部材２１に対するフランジ部材２２のねじ結合を弛めて取り外す。これにより、床板Ｆの取付穴Ｆａの周縁に固定用筒体２における筒状部材２１の接続部２４が載置されて支持される。
【００３３】
この後、床材に接続部２４を挿通可能な最小限の穴を形成し、その穴を固定用筒体２における上筒部２６に挿通し、その内周縁が接続部２４の外周縁近傍に位置するように、床材を床板Ｆに敷設する。床材を敷設したならば、前述とは逆に、固定用筒体２における筒状部材２１の接続部２４にフランジ部材２２をねじ込んで一体に連結する。次いで、フランジ部材２２を連結した固定用筒体２を床板Ｆに載置し、フランジ部材２２のビス穴２２ａを通してビスＳを床板Ｆに打ち込めば、固定用筒体２を床板Ｆに固定することができる。この結果、床材に形成された穴の内周縁近傍をフランジ部材２２が覆うことができる。次いで、化粧カバー３を固定用筒体２に装着した後、トラップ本体４を嵌挿支持し、エルボ部材５を固定用筒体２に嵌挿するとともに、固定用筒体２にロック部材６を締結すればよい。
【００３４】
このように、床材に形成された穴の内周縁近傍をフランジ部材２２が覆って穴を露出させることがないことから、床材の張り替えを見栄えを低下させることなく行うことができる。しかも、排水管を切断したり、延長する作業が不要になるとともに、新たな固定用筒体を用いる必要がなく、作業時間を大幅に短縮して床材の張り替えを簡単に行うことができる。
【００３５】
ところで、前述した実施形態においては、固定用筒体２における筒状部材２１の接続部２４の内周側上面にエルボ部材５の突出部５１を支持する場合を例示したが、図３に示すように、トラップ本体４におけるわん体４１の上端に外方に延びる外方フランジ４１２を形成するとともに、この外方フランジ４１２に対応して固定用筒体２における筒状部材２１の接続部２４の内周側上面に、トラップ本体４におけるわん体４１の外方フランジ４１２の上面と面一に連続するように段差部２４１を形成する一方、エルボ部材５の他端部側外周面にフランジ５２を形成するようにしてもよい。
【００３６】
これにより、固定用筒体２における筒状部材２１の接続部２４の段差部２４１にトラップ本体４の外方フランジ４１２を支持するとともに、トラップ本体４におけるわん体４１の外方フランジ４１２の上面および固定用筒体２における筒状部材２１の接続部２４の内周側上面にわたってエルボ部材５のフランジ部５２を載置支持することができる。
【００３７】
また、前述した実施形態においては、封水を確保するトラップ本体４として、わん体４１の内部に仕切り壁４２を配設したものを例示したが、図４に示すように、トラップ本体４とともにエルボ部材５を利用して封水を確保してもよい。すなわち、図４において、トラップ本体４は、わん体４１と、わん体４１の上端部に周方向に間隔をおいて一体に連結された複数個の吊下片４３と、吊下片４３の上端部外周面に一体に連結されたリング状の周縁支持部４４と、からなり、この周縁支持部４４が、固定用筒体２における筒状部材２１の支持部２５に支持されるようになっている。
【００３８】
一方、エルボ部材５の他端部側内周部には、トラップ本体４のわん体４１の底面近傍まで延びる周壁部５３が垂設されている。これにより、エルボ部材５における周壁部５３の下端縁とわん体４１の底面との間に流通路４ａを形成することができ、エルボ部材５を通して流下する排水は、周壁部５３の下端縁とわん体４１の底面との間の流通路４ａを経てわん体４１の流出口４ｂとなる上端縁から溢水し、排水管Ｐへと流出するものである。この際、わん体４１の高さ分封水が確保される。
【００３９】
なお、固定用筒体２を構成する筒状部材２１とフランジ部材２２との連結構造として、雄ねじと雌ねじによるねじ結合を説明したが、ねじ結合に限るものではなく、例えば、一方の周縁に切欠を形成するとともに、他方に切欠に対応する突片を形成し、突片を切欠に嵌挿して落とし込み、設定角度回動させて突片の離脱を防止するようにして両者を一体に連結するようにしてもよい。
【００４０】
また、固定用筒体２は、排水管Ｐとの接続情況を確認できればよいことから、無色透明に限らず、黄、赤、青などで着色した有色透明や、半透明であってもよい。
【図面の簡単な説明】
【００４１】
【図１】本発明の排水トラップの一実施形態を排水管に接続するとともに、床板に固定して示す半断面図である。
【図２】図１の排水トラップの分解斜視図である。
【図３】排水トラップの変形例を排水管および床板とともに示す半断面図である。
【図４】排水トラップの他の変形例を排水管および床板とともに示す半断面図である。
【符号の説明】
【００４２】
１  排水トラップ
２  固定用筒体
２１  筒状部材
２２  フランジ部材
３  化粧カバー
４  トラップ本体
５  エルボ部材
６  ロック部材
Ｐ  排水管
Ｆ  床板
Ｆａ  取付穴
【図１】
2008261183.tif 000003
【図２】
2008261183.tif 000004
【図３】
2008261183.tif 000005
【図４】
2008261183.tif 000006